(57)【要約】【課題】  被災地などの一時的に人が集まり、宿泊施設が不足する場所等においては、不足している設備は生活必需ユニットが総合的に集約された全体設備のコンテナハウス又はトレーラーハウスではなく、シャワーユニットであったり、トイレユニットであったり、ベッドユニットであったりと、限定用途ユニットの設備があれば充分である場合が多々あり、その場所で必要不可欠とする設備を迅速、的確に準備することができるコンテナハウス又はトレーラーハウスの提供が要請されている。【解決手段】  本発明は、被災地などの一時的に人が集まる場所に、用途に応じて迅速・的確に運搬・設置ができるように、ハウス本体１０の内部に、シャワ−ユニット１、トイレユニット２及び洗面ユニット３等からなる水周りユニットを配置したような用途限定構造を有する限定用途のコンテナハウス又はトレーラーハウスを提供すものである。【選択図】  図１
2018039280.tif 000002
【特許請求の範囲】
【請求項１】
用途限定構造を有する装備限定のコンテナハウス又はトレーラーハウス。
【請求項２】
請求項１に記載の装備限定のコンテナハウス又はトレーラーハウスにおいて、用途限定構造が、ベッドユニット、２段ベッドユニット、カプセルベッドユニット、バスユニット、シャワーユニット、トイレユニット、調理ユニット、喫茶ユニット、喫煙ユニット、リビングユニット、展示ユニット、会議室ユニット、クローゼットユニット、書庫ユニット、飲食ユニット、水周りユニット、ガス供給ユニット、発電ユニット、蓄電池ユニット、医療ユニット、倉庫ユニット、店舗ユニット、映写ユニット、イベントユニット、和室ユニット、談話室ユニット、演芸・演劇・音楽演奏ライブユニット、カラオケユニット、囲碁・将棋所ユニット、スロットマシーンユニット、ぱちんこホールユニット、ビリヤードユニット、マージャンユニットのいずれか一つ又は３ユニット以下の組み合わせからなる装備限定のコンテナハウス又はトレーラーハウス。
【請求項３】
請求項１又は２に記載の装備限定のコンテナハウス又はトレーラーハウスにおいて、ハウス本体内に各ユニットを着脱可能に設けてなる装備限定のコンテナハウス又はトレーラーハウス。
【請求項４】
請求項１乃至３のいずれかに記載の装備限定のコンテナハウス又はトレーラーハウスにおいて、ハウス本体が立方体又は直方体からなる装備限定のコンテナハウス又はトレーラーハウス。
【請求項５】
請求項１乃至４のいずれかに記載の装備限定のコンテナハウス又はトレーラーハウスにおいて、ハウス本体を重ねて設置可能にした装備限定のコンテナハウス又はトレーラーハウス。
【請求項６】
請求項１乃至５のいずれかに記載の運搬可能なコンテナハウス又はトレーラーハウスにおいて、立方体又は直方体のハウス本体の４角部に支柱を設けてなる運搬可能なコンテナハウス又はトレーラーハウス。
【請求項７】
請求項１乃至６のいずれかに記載の装備限定のコンテナハウス又はトレーラーハウスにおいて、一のハウス本体に、他のハウス本体を隣接して設けてなる装備限定のコンテナハウス又はトレーラーハウス。
【発明の詳細な説明】
【技術分野】
【０００１】
本発明は装備限定のコンテナハウス又はトレーラーハウスに関する。
【背景技術】
【０００２】
従来から特許文献１に記載のように、リビング・ダイニング、ガスレンジ・オーブン・流し台・冷蔵庫・キャビネットがそれぞれ隣接したキッチンユニット、バスルームとトイレ、洗濯機置場、クローゼットとキャビネットを備えたベッドルーム等の総合用途の生活必需設備が配置されたトレーラーハウスが知られている。
【先行技術文献】
【特許文献】
【０００３】
【特許文献１】特開２００４−１３６７６４号公報
【発明の概要】
【発明が解決しようとする課題】
【０００４】
種々の野外競技、野外コンサート、キャンプ大会、屋内外イベント、避難場所、各種会議等の一時的に人が集まり、宿泊施設が一時的に不足する場所等において、一般の宿泊施設や仮設の宿泊施設、或いは、特許文献１に記載のような、生活設備が総合的に装備されたトレーラーハウス等が利用できれば理想的である。しかし、個々の避難場所等において不足していて必要不可欠な設備は、例えば、バスユニット、シャワーユニット、トイレユニット、電源ユニット又はベッドユニット等のいずれか、或いはその組み合わせであって、総合的である必要は無く、個々の装備限定の設備があれば充分である場合も少なくなく、要は、イベント会場や避難場所等ごとに必要とする設備を迅速、的確に準備する必要がある。また、設置スペースとして十分な広さの土地や平坦な安定した場所が狭く、且つ、設置場所までの安全で容易な搬送路がない場合、総合用途の生活必需設備が配置されたトレーラーハウスを搬送することは困難な場合が多々ある。
【課題を解決するための手段】
【０００５】
そこで本発明は、イベント会場や避難場所などの一時的に人が集まり、宿泊施設が一時的に不足する場所に、用途に応じて迅速・的確に運搬・設置ができるように、特許請求の範囲の請求項１に記載の用途限定構造を有する装備限定のコンテナハウス又はトレーラーハウスを提供しようとするものである。
【０００６】
また、本発明は、特許請求の範囲の請求項２に記載のように、請求項１に記載の装備限定のコンテナハウス又はトレーラーハウスにおいて、用途限定構造が、ベッドユニット、２段ベッドユニット、カプセルベッドユニット、バスユニット、シャワーユニット、トイレユニット、調理ユニット、喫茶ユニット、喫煙ユニット、リビングユニット、展示ユニット、会議室ユニット、クローゼットユニット、書庫ユニット、飲食ユニット、水周りユニット、ガス供給ユニット、発電ユニット、蓄電池ユニット、医療ユニット、倉庫ユニット、店舗ユニット、映写ユニット、イベントユニット、和室ユニット、談話室ユニット、演芸・演劇・音楽演奏ライブユニット、カラオケユニット、囲碁・将棋所ユニット、スロットマシーンユニット、ぱちんこホールユニット、ビリヤードユニット、マージャンユニットのいずれか一つ又は３ユニット以下の組み合わせからなる装備限定のコンテナハウス又はトレーラーハウスを提供しようとするものである。
【０００７】
また、本発明は、請求項３に記載のように、請求項１又は２に記載の装備限定のコンテナハウス又はトレーラーハウスにおいて、ハウス本体内に各ユニットを着脱可能に設けてなる装備限定のコンテナハウス又はトレーラーハウスを提供しようとするものである。
【０００８】
また、本発明は、請求項４に記載のように、請求項１、２又は３に記載の装備限定のコンテナハウス又はトレーラーハウスにおいて、ハウス本体が立方体又は直方体からなる装備限定のコンテナハウス又はトレーラーハウスを提供しようとするものである。
【０００９】
また、本発明は、請求項５に記載のように、請求項１乃至４のいずれかに記載の装備限定のコンテナハウス又はトレーラーハウスにおいて、ハウス本体を重ねて設置可能にした装備限定のコンテナハウス又はトレーラーハウスを提供しようとするものである。
【００１０】
また、本発明は、請求項６に記載のように、請求項１乃至５のいずれかに記載の装備限定のコンテナハウス又はトレーラーハウスにおいて、立方体又は直方体のハウス本体の４角部に支柱を設けてなる装備限定のコンテナハウス又はトレーラーハウスを提供しようとするものである。
【００１１】
また、本発明は、請求項７に記載のように、請求項１乃至６のいずれかに記載の装備限定のコンテナハウス又はトレーラーハウスにおいて、前記一のハウス本体に、他のハウス本体を隣接して設けてなる装備限定のコンテナハウス又はトレーラーハウスを提供しようとするものである。
【発明の効果】
【００１２】
本発明によれば、特許請求の範囲の請求項１に記載のように、用途限定構造を有する装備限定のコンテナハウス又はトレーラーハウスの構成を有するから、種々の野外競技、野外コンサート、キャンプ大会、屋内外イベント、避難場所、各種会議等の一時的に人が集まり、宿泊施設が一時的に不足する場所等において、用途に応じたコンテナハウス又はトレーラーハウスを必要に応じて的確に迅速に運搬・設置し、又は配置して使用することができる効果がある。
【００１３】
また、本発明によれば、特許請求の範囲の請求項２に記載のように、請求項１に記載の装備限定のコンテナハウス又はトレーラーハウスにおいて、用途限定構造が、ベッドユニット、２段ベッドユニット、カプセルベッドユニット、バスユニット、シャワーユニット、トイレユニット、調理ユニット、喫茶ユニット、喫煙ユニット、リビングユニット、展示ユニット、会議室ユニット、クローゼットユニット、書庫ユニット、飲食ユニット、水周りユニット、ガス供給ユニット、発電ユニット、蓄電池ユニット、医療ユニット、倉庫ユニット、店舗ユニット、映写ユニット、イベントユニット、和室ユニット、談話室ユニット、演芸・演劇・音楽演奏ライブユニット、カラオケユニット、囲碁・将棋所ユニット、スロットマシーンユニット、ぱちんこホールユニット、ビリヤードユニット、マージャンユニットのいずれか一つ又は３ユニット以下の組み合わせからなる構成を有ことにより、それぞれ必要とするユニットを備えた装備限定のコンテナハウス又はトレーラーハウスを迅速的確に提供することができる効果がある。
【００１４】
また、本発明によれば、請求項３に記載のように、請求項１又は２に記載の装備限定のコンテナハウス又はトレーラーハウスにおいて、ハウス本体内に各ユニットを着脱可能に設けてなる構成を有することにより、必要とする組み合わせの種々のユニットを備えたコンテナハウス又はトレーラーハウスを迅速且つ容易に提供することができる効果がある。
【００１５】
また、本発明によれば、請求項４に記載のように、請求項１乃至３のいずれかに記載の装備限定のコンテナハウス又はトレーラーハウスにおいて、ハウス本体が立方体又は直方体からなる構成を有するから、ハウス本体の構造が簡素で、製造・運搬・配置が容易であるのみならず、内部に設置する各ユニットの取付・着脱・配置等を容易にする効果がある。
【００１６】
また、本発明によれば、請求項５に記載のように、請求項１乃至４のいずれかに記載の装備限定のコンテナハウス又はトレーラーハウスにおいて、ハウス本体を重ねて設置可能にした構成を有するから、特にコンテナハウスにおいては、設置準備等において集積して保管したり、設置するのが容易になる効果がある。
【００１７】
また、本発明によれば、請求項６に記載のように、請求項１乃至５のいずれかに記載の装備限定のコンテナハウス又はトレーラーハウスにおいて、立方体又は直方体のハウス本体の４角部に底板部と天板部の間に４本の支柱を設けてなる構成を有するから、内部空間の広いハウス本体と重ねても頑丈な構造のコンテナハウス又はトレーラーハウスを提供することができる効果がある。
【００１８】
また、本発明によれば、請求項７に記載のように、請求項１乃至６のいずれかに記載の装備限定のコンテナハウス又はトレーラーハウスにおいて、一のハウス本体に、他のハウス本体を隣接して設けてなる構成を有することにより、各ハウス本体の装備するユニットが互いに補完し合う多用途・多機能のコンテナハウス又はトレーラーハウスを提供することができる効果がある。
【図面の簡単な説明】
【００１９】
【図１】本発明の一実施例の内部構造を示す平面図。
【図２】その内部構造を正面方向から見た正面図。
【図３】その内部構造を背面方向から見た正面図。
【図４】本発明の他の実施例の内部構造を示す平面図。
【図５】その内部構造を正面方向から見た正面図。
【図６】その内部構造を背面方向から見た正面図。
【図７】本発明の他の実施例の内部構造を示す平面図。
【発明を実施するための形態】
【００２０】
以下図示する実施例により本発明を説明する。
【実施例１】
【００２１】
図１、図２又は図３に記載の実施例１は水周りユニットに用途を限定した構造のコンテナハウスの一実施形態を示し、１０は直方体形状の外形のハウス本体で、内部にはシャワ−ユニット１、トイレユニット２及び洗面ユニット３からなる２組の水周りユニットが、中央の隔壁４を境に対称に配置されている。隔壁４の各ユニットの電源となる蓄電池５が設置されている。１ａはシャワーユニット１の折りたたみ式の開閉扉、６は隣り合う各水周りユニットの外部との出入口７に設けた出入扉、８は出入口７の隣に設けた下足入れである。９は換気窓である。
【００２２】
ハウス本体１内の前記各ユニット等の内部構造物は、既製の各ユニットを自在に組立し着脱して設置することができるように構成してある。また、ハウス本体１０は底面部、天面部及び側壁部を強固に形成する長方形の底枠体１１と天板部１２と、上下の枠体を１１、１２を強固に支える４角部の支柱１３からなり、上下に重ねることができる構造となっている。
【実施例２】
【００２３】
図４、図５又は図６に記載の実施例２は宿泊用のベッドユニットに用途を限定した構造のコンテナハウスの一実施形態を示し、ハウス本体２０の外枠構造は実施例１と同様である。図４の平面図に記載のように中央の床面部２１の両側に、２段のカプセルベッドユニット２２が向かい合って配置してあり、合計４人が宿泊できるように構成してある。床面部２１に面しハウス本体２０の正面中央に出入口２３が設けてある。２４は出入口２３の開閉扉であり、２５は出入口の内側に設けた下足入れである。床面部２１の突き当たりにはカウンター台２６が設けてあり、台２６の内部にはベッドユニットの電源となる蓄電池２７が設置してある。カウンター台２６の上部壁面には換気用窓２８が設けてある。
【実施例３】
【００２４】
図７に記載の実施例３は、宿泊用のベッドユニットに、シャワーユニット、トイレユニット、洗面ユニットからなる水周りユニットを付加した宿泊用途限定構造のトレーラーハウスの一実施形態を示すものである。
ハウス本体３０は、直方体形状からなり、長手方向前方に牽引用トラクターと連結する牽引用アーム３１が突設してあり、底部には図では省略した車輪が設けてある。実施例の場合、ハウス本体（車体）３０の後方から、進行方向片側に沿って２列に２段のベッドユニット３２が設けてあり、進行方向の反対片側は比較的広い通路３３になっている。通路３３の後方には玄関３４、出入口扉３５が設けてある。玄関３４のベッドユニット側には下足入れ３６が設けてある。通路３３の側壁には３カ所に窓３９が配設してある。
【００２５】
ハウス本体３０の前方には、ベッドユニット３２と隔壁３７を隔てて水周りユニット４０が設けてある。水周りユニット４０は、シャワーユニット４１、トイレユニット４２及び洗面ユニット４３からなり、前記ベッドユニット３２側の通路３３とは前記隔壁３７に設けた連絡扉３８により隔てられている。４４はシャワーユニット４１の開閉扉、４５はトイレユニット４２の窓部である。
【符号の説明】
【００２６】
１    シャワーユニット
２    トイレユニット
３    洗面ユニット
４    隔壁
５    蓄電池
６    出入扉
７    出入口
８    下足入れ
９    換気窓
１０  ハウス本体
１１  底枠部
１２  天板部
１３  支柱
２０  ハウス本体
２１  床面部
２２  カプセルベッドユニット
２３  出入口
２４  開閉扉
２５  下足入れ
２６  カウンター台
２７  蓄電池  
３０  ハウス本体
３１  牽引用アーム
３２  ベッドユニット
３３  通路
３４  玄関
３５  出入口扉
３６  下足入れ
３７  隔壁
３８  連絡扉
３９  窓
４０  水周りユニット
４１  シャワーユニット
４２  トイレユニット
４３  洗面ユニット
４４  開閉扉
４５  窓部
【図１】
2018039280.tif 000003
【図２】
2018039280.tif 000004
【図３】
2018039280.tif 000005
【図４】
2018039280.tif 000006
【図５】
2018039280.tif 000007
【図６】
2018039280.tif 000008
【図７】
2018039280.tif 000009
【手続補正書】
【提出日】平成29年8月1日(2017.8.1)
【手続補正１】
【補正対象書類名】特許請求の範囲
【補正対象項目名】全文
【補正方法】変更
【補正の内容】
【特許請求の範囲】
【請求項１】
用途限定構造を有する装備限定のコンテナハウス又はトレーラーハウスにおいて、用途限定構造が、ベッドユニット、２段ベッドユニット、カプセルベッドユニットのいずれか一つ又は３ユニット以下の組み合わせからなる装備限定のコンテナハウス又はトレーラーハウス。
【請求項２】
請求項１に記載の用途限定構造を有する装備限定のコンテナハウス又はトレーラーハウスにおいて、用途限定構造が、ベッドユニット、２段ベッドユニット、カプセルベッドユニット、喫茶ユニット、喫煙ユニット、リビングユニット、会議室ユニット、クローゼットユニット、書庫ユニット、飲食ユニットのいずれか一つ又は３ユニット以下の組み合わせからなる装備限定のコンテナハウス又はトレーラーハウス。
【請求項３】
請求項１に記載の用途限定構造を有する装備限定のコンテナハウス又はトレーラーハウスにおいて、用途限定構造が、ベッドユニット、２段ベッドユニット、カプセルベッドユニット、ガス供給ユニット、発電ユニット、蓄電池ユニット、医療ユニット、倉庫ユニットのいずれか一つ又は３ユニット以下の組み合わせからなる装備限定のコンテナハウス又はトレーラーハウス。
【請求項４】
請求項１に記載の用途限定構造を有する装備限定のコンテナハウス又はトレーラーハウスにおいて、用途限定構造が、ベッドユニット、２段ベッドユニット、カプセルベッドユニット、映写ユニット、演芸・演劇・音楽演奏ライブユニット、カラオケユニット、囲碁・将棋所ユニット、スロットマシーンユニット、ぱちんこホールユニット、ビリヤードユニット、マージャンユニットのいずれか一つ又は３ユニット以下の組み合わせからなる装備限定のコンテナハウス又はトレーラーハウス。
【請求項５】
請求項１乃至４の何れかに記載の装備限定のコンテナハウス又はトレーラーハウスにおいて、ハウス本体内に各ユニットを着脱可能に設けてなる装備限定のコンテナハウス又はトレーラーハウス。
【請求項６】
請求項１乃至５のいずれかに記載の装備限定のコンテナハウス又はトレーラーハウスにおいて、ハウス本体を重ねて設置可能にした装備限定のコンテナハウス又はトレーラーハウス。
【請求項７】
請求項１乃至６のいずれかに記載の装備限定のコンテナハウス又はトレーラーハウスにおいて、一のハウス本体に、他のハウス本体を隣接して設けてなる装備限定のコンテナハウス又はトレーラーハウス。